(57)【要約】【課題】調整が容易で、ワイヤーを溶接することなく、チタンまたはチタン合金が使用可能な歯列矯正インプラントを提供する。【解決手段】インプラントボディ１０は、係合穴を有し、アンカーヘッド２０は、インプラントボディ１０の係合穴に係合可能で、中央に貫通孔を備えた係合突起を先端に有し、頭部には、２つの貫通するねじ孔を有し、スクリュー３０は、アンカーヘッド２０の内面形状に係合可能な外周面を有し、小ねじ４０は、アンカーヘッド２０の頭部に設けられた貫通するねじ孔に適応するねじ山を外周に有し、インプラントボディ２０に係合させ、スクリュー３０で固定したアンカーヘッド２０の溝に、図示しないワイヤーを通して、小ねじ４０で該ワイヤーを固定することによって、ワイヤーの端部を歯に固定する。【選択図】　図１
2004057729.tif 000002
【特許請求の範囲】
【請求項１】
口蓋骨にねじ入れられるインプラントボディと、アンカーヘッドと、スクリューと、小ねじと、ワイヤーとからなる歯列矯正インプラントであって、前記インプラントボディは、外周に切り欠き部を伴うねじ山と、基端側にあって該ねじ山の軸と同軸状の係合穴と、該係合穴の底面から先端側へ掘り下げられるねじ穴とを有し、前記アンカーヘッドは、インプラントボディの係合穴に係合可能で、中央に貫通孔を備えた係合突起を先端に有し、該貫通孔は、前記係合突起側で狭く、他端側で広くなるようなテーパ状の内面を有し、かつ、環状の溝を外周面に有し、該溝で区切られ、前記係合突起と反対側である頭部には、少なくとも２つの貫通するねじ孔を有し、前記スクリューは、アンカーヘッドの内面形状に係合可能な外周面を有し、かつ、基端側の端部に回転用の工具穴を有し、前記小ねじは、アンカーヘッドの頭部に設けられた貫通するねじ孔に適応するねじ山を外周に有し、かつ、基端側の端部に回転用の工具穴を有し、インプラントボディに係合させて、スクリューで固定したアンカーヘッドの溝内で、ワイヤーの一端を小ねじで固定することによって、ワイヤーの端部が歯に固定される形状を有することを特徴とする歯列矯正インプラント。
【請求項２】
インプラントボディの係合穴の内面は、軸方向に垂直な断面が正六角形であり、アンカーヘッドの係合突起の外面は、軸方向に垂直な断面が正十二角形であることを特徴とする請求項１に記載の歯列矯正インプラント。
【請求項３】
インプラントボディの係合穴に係合可能な端部を有し、かつ、工具を係合可能な形状の他端部を有し、インプラントボディを口蓋骨にねじ入れるためのインプレッションコーピングを有することを特徴とする請求項１に記載の歯列矯正インプラント。
【発明の詳細な説明】
【０００１】
【発明の属する技術分野】
本発明は、歯列矯正インプラントに関し、特に、調整が容易で、チタンまたはチタン合金が使用可能な歯列矯正インプラントに関する。
【０００２】
【従来の技術】
従来、歯列矯正インプラントは、口蓋骨にねじ入れられるインプラントボディにワイヤーを溶接して、該ワイヤーを歯に固定していた。
【０００３】
しかし、溶接をする必要があるため、ワイヤーを溶接しにくいが、人体組織と適合性の高いチタンやチタン合金が使用しにくいという問題があった。
【０００４】
【発明が解決しようとする課題】
本発明は、調整が容易で、ワイヤーを溶接することなく、チタンまたはチタン合金が使用可能な歯列矯正インプラントを提供することを目的とする。
【０００５】
【課題を解決するための手段】
本発明の歯列矯正インプラントは、口蓋骨にねじ入れられるインプラントボディと、アンカーヘッドと、スクリューと、小ねじと、ワイヤーとからなる。
【０００６】
前記インプラントボディは、外周に切り欠き部を伴うねじ山と、基端側にあって該ねじ山の軸と同軸状の係合穴と、該係合穴の底面から先端側へ掘り下げられるねじ穴とを有し、前記アンカーヘッドは、インプラントボディの係合穴に係合可能で、中央に貫通孔を備えた係合突起を先端に有し、該貫通孔は、前記係合突起側で狭く、他端側で広くなるようなテーパ状の内面を有し、かつ、環状の溝を外周面に有し、該溝で区切られ、前記係合突起と反対側である頭部には、少なくとも２つの貫通するねじ孔を有し、前記スクリューは、アンカーヘッドの内面形状に係合可能な外周面を有し、かつ、基端側の端部に回転用の工具穴を有し、前記小ねじは、アンカーヘッドの頭部に設けられた貫通するねじ孔に適応するねじ山を外周に有し、かつ、基端側の端部に回転用の工具穴を有し、インプラントボディに係合させて、スクリューで固定したアンカーヘッドの溝内で、ワイヤーの一端を小ねじで固定することによって、ワイヤーの端部が歯に固定される形状を有する。
【０００７】
さらに、インプラントボディの係合穴の内面は、軸方向に垂直な断面が正六角形であり、アンカーヘッドの係合突起の外面は、軸方向に垂直な断面が正十二角形であることが望ましい。
【０００８】
本発明のインプレッションコーピングは、インプラントボディの係合穴に係合可能な端部を有し、かつ、工具を係合可能な形状の他端部を有し、前記歯列矯正インプラントのインプラントボディを口蓋骨にねじ入れるために使用される。
【０００９】
【発明の実施の形態】
図面を参照して、本発明を説明するが、図示した実施例は、最適な一例に過ぎず、本発明を制限するものではない。
【００１０】
図１は、本発明の一実施例を示す平面図および側面図であり、図２は、使用状態を示す断面図である。図３は、本発明の一実施例の組立て側面図である。
【００１１】
本発明の歯列矯正インプラントは、口蓋骨１にねじ入れられるインプラントボディ１０と、アンカーヘッド２０と、スクリュー３０と、小ねじ４０と、ワイヤー４とからなる。
【００１２】
インプラントボディ１０を、図４に投影図で示した。
【００１３】
インプラントボディ１０は、外周に切り欠き部１４を伴うねじ山１３と、基端側にあって該ねじ山１３の軸と同軸状の係合穴１２と、該係合穴１２の底面から先端側へ掘り下げられるねじ穴１１とを有する。インプラントボディ１０は、例えばφ３．７ｍｍ×７．７ｍｍの寸法を有する。
【００１４】
アンカーヘッド２０を、図５に投影図で示した。
【００１５】
アンカーヘッド２０は、インプラントボディ１０（図４）の係合穴１２に係合可能で、中央に貫通孔２１を備えた係合突起２５を先端に有し、該貫通孔２１は、テーパ部２８を有して、該テーパ部２８は、前記係合突起２５の側で狭く、他端側で広くなるような内面を有し、かつ、環状の溝２４を外周面に有し、該溝２４で区切られ、前記係合突起２５と反対側である頭部には、２つの貫通するねじ孔２２、２３を有する。アンカーヘッド２０は、例えばφ６．９ｍｍ×８．６５ｍｍの寸法を有する。
【００１６】
インプラントボディ１０の係合穴１２の内面を、軸方向に垂直な断面が正六角形として、アンカーヘッド２０の係合突起２５の外面を、軸方向に垂直な断面が正十二角形とすることにより、アンカーヘッド２０の向きを約３０度づつ回転させることが可能となり、アンカーヘッド２０を抜き差しするだけで、ワイヤー４（図２）の調整が容易に可能である。
【００１７】
スクリュー３０を、図６に投影図で示した。
【００１８】
スクリュー３０は、アンカーヘッド２０（図５）の内面形状に係合可能な外周面を有し、かつ、基端側の端部に回転用の工具穴３１を有する。スクリュー３０は、例えばφ２．０（小径側φ１．４ｍｍ）×１０．９ｍｍの寸法を有する。
【００１９】
小ねじ４０を、図７に投影図で示した。
【００２０】
小ねじ４０は、アンカーヘッド２０（図５）の頭部に設けられた貫通するねじ孔２２、２３に適応するねじ山４２を外周に有し、かつ、基端側の端部に回転用の工具穴４１を有する。小ねじ４０は、例えばφ１．８ｍｍ×２．０ｍｍの寸法を有する。
【００２１】
ワイヤー４は、歯との接合部３にブラケットを使用し、例えばφ１．０ｍｍ〜φ２．５ｍｍの寸法から自由に選択可能である。
【００２２】
アンカーヘッド２０は、インプラントボディ１０に、スクリュー３０でネジ止めされて固定される。
【００２３】
ワイヤー４は、アンカーヘッド２０の溝の中に、小ねじ４０で押さえられて固定される。
【００２４】
ワイヤー４の先端３が歯に固定される形状になっていて、歯列の矯正を行える。それぞれ独立した小ねじ４０で２本のワイヤー４を取り付けることができるので、左右の歯列の矯正が独立して調整可能である。また、小ねじ４０で締めるだけの作業で確実に固定可能であり、多様な外径のワイヤー４に対応することができるので、歯列矯正にかかる患者の身体的、精神的および経済的な負担が軽減できる。また、歯科医師にとっても、余計なインプラントボディの在庫管理にかかる負担が軽減できるという効果を得られる。
【００２５】
部品相互の固定に溶接などを必要としないので、生体親和性の高いチタンおよびチタン合金を使用することが可能で、生体反応を最小限に抑えることが可能である。
【００２６】
インプレッションコーピング５０を、図８に投影図で示した。
【００２７】
本発明のインプレッションコーピング５０は、インプラントボディ１０（図４）の係合穴１２に係合可能な端部５３を有し、かつ、工具を係合可能な形状の他端部５２を有し、インプラントボディ１０を口蓋骨にねじ入れるために使用される。さらに、アンカーヘッド２０と同様の形状の貫通孔５１を設けることにより、スクリュー３０（図６）で強固に固定することも可能である。
【００２８】
図９に示したように、インプレッションコーピング５０は、インプラントボディ１０の埋入に使用するが、印象コーピングとしても使用可能である。
【００２９】
【発明の効果】
本発明により、調整が容易で、ワイヤーを溶接することなく、チタンまたはチタン合金が使用可能な歯列矯正インプラントを提供することが可能となった。
【図面の簡単な説明】
【図１】本発明の一実施例を示す平面図および側面図である。
【図２】使用状態を示す断面図である。
【図３】本発明の一実施例の組立て側面図である。
【図４】インプラントボディを示す投影図である。
【図５】アンカーヘッドを示す投影図である。
【図６】スクリューを示す投影図である。
【図７】小ねじを示す投影図である。
【図８】インプレッションコーピングを示す投影図である。
【図９】インプレッションコーピングを使用した状態を示す側面図である。
【符号の説明】
１　口蓋骨
２　歯
３　ブラケット
４　ワイヤー
１０　インプラントボディ
１１　ねじ部
１２　係合穴
１３　ねじ山
１４　セルフタッピング切り欠き
２０　アンカーヘッド
２１、２２、２３　貫通孔
２４　溝
２５　係合突起
２７　ねじ部
２８　テーパ部
３０　スクリュー
３１　工具穴
３２　ねじ山
３３　テーパ部
４０　小ねじ
４１　工具穴
４２　ねじ山
５０　インプレッションコーピング
５１　貫通孔
５２　平坦面
５３　係合突起
５４　テーパ部
【図１】
2004057729.tif 000003
【図２】
2004057729.tif 000004
【図３】
2004057729.tif 000005
【図４】
2004057729.tif 000006
【図５】
2004057729.tif 000007
【図６】
2004057729.tif 000008
【図７】
2004057729.tif 000009
【図８】
2004057729.tif 000010
【図９】
2004057729.tif 000011